(57)【要約】【要  約】【課  題】    天井埋込型空気調和装置において、空気吸込口の縁部に沿って延在する吊りひもの処理を適切に行って、見栄えを良くするとともに、吊りひもと他の電気部品のリード線などとの干渉を防止する。【解決手段】  天井埋込型空気調和装置は、室内機本体（１）の下方にグリル枠（２１）が設けられ、このグリル枠は空気吸込口（２２）および吹出口（２３）を具備し、昇降装置（３６）が吊りひも（３２〜３４）を巻取り・繰り出しすることにより、昇降グリル（３１）が上下動し、上昇時には昇降グリルがグリル枠の吸込口に位置している。昇降装置から昇降グリルへの吊りひもは、空気吸込口と空気吹出口との間の桟（２４）に沿って延在してから昇降グリルに取り付けられている。桟の下側に覆い材（５１，５２）が取り付けられて、桟の下方に吊りひも通路空間が形成され、この吊りひも通路空間（４６，４７）に吊りひもが通っている。【選択図】  図４
2005147595.tif 000002
【特許請求の範囲】
【請求項１】
室内機本体の下方にグリル枠が設けられ、このグリル枠は空気吸込口および空気吹出口を具備し、昇降装置が吊りひもを巻取り・繰り出しすることにより、昇降グリルが上下動し、上昇時には昇降グリルがグリル枠の吸込口に位置しているとともに、前記昇降装置から昇降グリルへの吊りひもが、空気吸込口と空気吹出口との間の桟に沿って延在してから昇降グリルに取り付けられている天井埋込型空気調和装置において、
前記グリル枠の桟の下方に吊りひも通路空間を形成すべく、前記桟の下側に覆い材が設けられ、この吊りひも通路空間に前記吊りひもが通っていることを特徴としている天井埋込型空気調和装置。
【請求項２】
前記桟の上側には、電気部品からのリード線が配線されていることを特徴としている請求項１記載の天井埋込型空気調和装置。
【請求項３】
前記覆い材には、空気調和装置の運転状況などを表示するための表示基板が設けられ、
前記グリル枠の桟には、前記表示基板の上方の部分に、表示基板からのリード線が通るリード線用貫通孔が形成されていることを特徴としている請求項１または２記載の天井埋込型空気調和装置。
【請求項４】
前記グリル枠の桟の下面には、前記リード線用貫通孔の周辺に縦リブが設けられ、
この縦リブの一方の側である貫通孔配置側に表示基板からのリード線が配線され、かつ、前記縦リブの他方の側に前記吊りひもが通ることを特徴としている請求項３記載の天井埋込型空気調和装置。
【請求項５】
前記リード線用貫通孔が設けられているグリル枠の桟には、昇降グリルの収容を検知するリミットスイッチが設けられているとともに、
このグリル枠の桟の上側には、リード線固定爪が設けられており、
このリード線固定爪が前記表示基板からのリード線および前記リミットスイッチからのリード線の両者を固定していることを特徴としている請求項３または４記載の天井埋込型空気調和装置。
【発明の詳細な説明】
【技術分野】
【０００１】
本発明は、天井埋込型空気調和装置に関する。
【背景技術】
【０００２】
従来、天井埋込型空気調和装置には、フィルターを掃除したり交換するために、昇降装置で吊りひもを巻取り・繰り出しすることにより昇降グリルを上下動可能にしているものがある。そして、昇降装置と昇降グリルとの間の吊りひもは、従来４本設けられている。この各吊りひも毎に昇降装置を設けると、吊りひもは上下方向に配線すれば良く、見栄えが良くなるとともに、吊りひもが他の配線などと干渉することを防止することができる。しかしながら、昇降装置が４個必要となり、昇降装置の設置作業やコストが増大する。そこで、たとえば特許文献１や特許文献２に記載されているように、１個の昇降装置で複数の吊りひもを作動させている天井埋込型空気調和装置がある。
【０００３】
しかしながら、１個の昇降装置で複数の吊りひもを作動させるためには、吊りひもを空気吸込口の縁部に沿って延在させる必要があり、昇降グリルの下降時にその配線が外から見え、見栄えが悪くなるとともに、略水平に延在している吊りひもが、他の電気部品のリード線などと干渉するおそれがある。
【特許文献１】特開２０００−１８６３３号公報
【特許文献２】特開平１０−１２２５９２号公報
【発明の開示】
【発明が解決しようとする課題】
【０００４】
解決しようとする問題点は、吊りひもを空気吸込口の縁部に沿って延在させると、昇降グリルの下降時にその配線が外から見え、見栄えが悪くなるとともに、略水平に延在している吊りひもが、他の電気部品のリード線などと干渉するおそれがある点である。
【課題を解決するための手段】
【０００５】
本発明の天井埋込型空気調和装置は、室内機本体（１）の下方にグリル枠（２１）が設けられ、このグリル枠は空気吸込口（２２）および空気吹出口（２３）を具備し、昇降装置（３６）が吊りひも（３２，３３，３４）を巻取り・繰り出しすることにより、昇降グリル（３１）が上下動し、上昇時には昇降グリルがグリル枠の吸込口に位置しているとともに、前記昇降装置から昇降グリルへの吊りひもが、空気吸込口と空気吹出口との間の桟（２４）に沿って延在してから昇降グリルに取り付けられている。そして、前記グリル枠の桟の下方に吊りひも通路空間（４６，４７）を形成すべく、前記桟の下側に覆い材（５１，５２）が設けられ、この吊りひも通路空間に前記吊りひもが通っている。
【０００６】
また、前記桟の上側には、電気部品からのリード線（５８，７３）が配線されていることがある。
さらに、前記覆い材には、空気調和装置の運転状況などを表示するための表示基板（５７）が設けられ、かつ、前記グリル枠の桟には、前記表示基板の上方の部分に、表示基板からのリード線が通るリード線用貫通孔（５９）が形成されていることがある。
【０００７】
そして、前記グリル枠の桟の下面には、前記リード線用貫通孔の周辺に縦リブ（６１）が設けられ、この縦リブの一方の側である貫通孔配置側に表示基板からのリード線が配線され、かつ、前記縦リブの他方の側に前記吊りひもが通ることがある。
また、前記リード線用貫通孔が設けられているグリル枠の桟には、昇降グリルの収容を検知するリミットスイッチ（６６）が設けられているとともに、このグリル枠の桟の上側には、リード線固定爪（７６）が設けられており、このリード線固定爪が前記表示基板からのリード線および前記リミットスイッチからのリード線の両者を固定していることがある。
【発明の効果】
【０００８】
本発明によれば、グリル枠の桟の下側に覆い材を設けて、桟の下方に吊りひも通路空間を形成し、この吊りひも通路空間に吊りひもが通っているので、吊りひもが、グリル枠本体の補強リブや、他の電気部品のリード線などと干渉することを極力防止することができるとともに、昇降グリルが降下している際にも、外側から吊りひもの水平に配線されている部分が見えず、見栄えが良好となる。
【０００９】
また、前記桟の上側には電気部品からのリード線が配線されており、この桟により、下側に配線されている吊りひもと、上側に配線されているリード線とが仕切られており、吊りひもがリード線に干渉することを桟で防止することができる。その結果、吊りひもを円滑に作動させることができる。
【００１０】
さらに、覆い材に設けられた表示基板からのリード線は、その上方に形成されたリード線用貫通孔から桟の上側に導かれており、表示基板を覆い材に設けたにも係わらず、吊りひも通路空間に位置するリード線の長さが短く、吊りひもがリード線と干渉することを極力防止することができる。
そして、リード線用貫通孔の周辺に縦リブが設けられ、この縦リブの一方の側である貫通孔配置側に表示基板からのリード線が配線され、かつ、前記縦リブの他方の側に前記吊りひもが通っているので、この縦リブで、吊りひもがリード線と干渉することをより効率よく防止することができる。
【００１１】
また、昇降グリルの収容を検知するリミットスイッチが、リード線用貫通孔が設けられているグリル枠の桟に設けられ、このグリル枠の桟の上側には、リード線固定爪が設けられているので、このリード線固定爪で、表示基板からのリード線およびリミットスイッチからのリード線の両者を固定することができる。したがって、リミットスイッチを他の場所に配置した場合に比して、リード線の取り付け作業や取付構造を簡単にすることができる。
【発明を実施するための最良の形態】
【００１２】
天井埋込型空気調和装置において、空気吸込口の縁部に沿って延在する吊りひもの処理を適切に行って、見栄えを良くするとともに、吊りひもと他の電気部品のリード線などとの干渉を防止するという目的を、グリル枠の桟の下側に覆い材を設けて、桟の下方に吊りひも通路空間を形成し、この吊りひも通路空間に吊りひもを通すことで実現した。
【実施例１】
【００１３】
次に、本発明における天井埋込型空気調和装置の一実施例について、図１ないし図７を用いて説明する。図１は本発明における天井埋込型空気調和装置の実施例の斜視図である。図２はグリル枠、フィルターおよび昇降グリルの分解斜視図である。図３は覆い材を外した状態でのグリル枠の概略の説明図である。図４は覆い材を取り付けた状態で引っ繰り返したグリル枠の概略の斜視図である。図５はグリル枠の平面図である。図６はグリル枠の要部平面図である。図７は表示基板およびリミットスイッチの説明図で、（ａ）は表示基板付近における図６の A-A断面図、（ｂ）は図６の B-B断面図である。なお、図１において、昇降グリルはグリル枠に取り付けられた状態と、下降した状態の両方の状態で図示されている。図３において、グリル枠は引っ繰り返した状態で図示され、覆い材および昇降グリルは斜め上方から見た斜視図で図示されている。図５は空気吹出口の上部構造が切断された状態で図示されている。図６において、各リード線は複数本を組み合わせて構成されているが、分かりやすいように、１本で図示されている。そして、この明細書において、天井埋込型空気調和装置の長手方向を左右方向としている。
【００１４】
まず始めに、天井埋込型空気調和装置の全体構成を説明する。
天井埋込型空気調和装置の室内機本体１の外装板２には、その左右側面の前後に固定部としての固定フランジ３が総計４個設けられている。天井板６には、室内機本体１を下側から天井内に設置することが可能なように開口部７が形成される。
【００１５】
また、アンカーボルト９が天井内の構造体（図示しない）に取り付けられており、このアンカーボルト９の下端部に室内機本体１の固定フランジ３を固定することにより、室内機本体１は天井内に設置される。
【００１６】
室内機本体１は、内部に熱交換器（図示しない）および送風機（図示しない）を具備しており、冷媒配管用の接続口１１およびドレン用の接続口１２が、室内機本体１の外装板２から外側に突出して設けられている。冷媒配管用の接続口１１は、冷媒配管１３で室外機（図示しない）に接続される。また、ドレン用の接続口１２にはドレン配管１４が接続される。そして、室内機本体１の底面には、吸込口および吹出口が形成されている。
【００１７】
天井板６の開口部７および室内機本体１の下方は、グリル枠２１で覆われている。このグリル枠２１は、室内機本体１の吸込口および吹出口に対応する位置に、空気吸込口２２および空気吹出口２３を具備している。すなわち、空気吸込口２２がグリル枠２１の中央部に設けられ、この空気吸込口２２を挟んで前後に空気吹出口２３が一対に設けられている。この空気吹出口２３は左右方向に長く設けられている。そして、空気吸込口２２と空気吹出口２３との間には、グリル枠２１の桟２４が設けられ、空気吸込口２２と空気吹出口２３とを仕切っている。また、グリル枠２１は室内機本体１に取り付けられている。
【００１８】
グリル枠２１の空気吸込口２２には、昇降グリル３１が配設されている。この昇降グリル３１には、前側の左右および後側の中央部に吊りひも３２，３３，３４が各々取り付けられている。計３本の吊りひも３２，３３，３４の上端は、グリル枠２１の上に設けられている昇降装置３６の巻取りドラム（図示しない）に各々取り付けられている。昇降装置３６の外郭を構成するケースは略直方体の箱形状をしており、そのケースの内側に複数の巻取りドラムや、この巻取りドラムを回転駆動するモータ（図示しない）などが設けられている。巻取りドラムは吊りひも３２，３３，３４毎に設けられている。昇降装置３６はグリル枠２１の上面に取り付けられ、空気吸込口２２の横側で、かつ、前後の空気吹出口２３の延長線の間に配置されている。昇降装置３６が稼働して、吊りひも３２，３３，３４を巻取り・繰り出しすると、昇降グリル３１は上下方向に移動する。この昇降グリル３１にフィルター４１が着脱可能に取り付けられており、フィルター４１を着脱する際には、昇降グリル３１を下降させ、また、空気調和の際には、昇降グリル３１を上昇させて空気吸込口２２に位置させる。そして、グリル枠２１の空気吸込口２２から吸い込まれた空気は、室内機本体１の熱交換器で冷却または加熱されて、グリル枠２１の前後の空気吹出口２３から吹き出される。
【００１９】
次に、吊りひも３２，３３，３４の配線を説明する。前述のように、昇降装置３６はグリル枠２１上に設置されている。このグリル枠２１には、吊りひも３２，３３，３４用の貫通孔４２，４３，４４が形成されている。また、グリル枠２１の桟２４の下方に吊りひも３２，３４が通る吊りひも通路空間４６，４７〔図４および図７（ａ）参照〕を形成すべく、桟２４の下側に覆い材５１，５２が取り付けられている。この覆い材５１，５２は、上面が開口した細長い箱形状をしており、細長い長方形の底板およびこの底板の周辺（すなわち、４辺）から立ち上がる側板とを有している。
【００２０】
そして、昇降装置３６からの第１吊りひも３２は、グリル枠２１の第１貫通孔４２を通って、前側の吊りひも通路空間４６に導入され、吊りひも通路空間４６を右側から左側へ通り、吊りひも通路空間４６の左端部で、覆い材５１とグリル枠２１との隙間から覆い材５１の外側に導き出されて、昇降グリル３１の左前側に取り付けられている。昇降装置３６からの第２吊りひも３３は、グリル枠２１の第２貫通孔４３を通って、グリル枠２１の下方に導かれ、昇降グリル３１の右前側に取り付けられている。昇降装置３６からの第３吊りひも３４は、グリル枠２１の第３貫通孔４４を通って、後側の吊りひも通路空間４７に導入され、吊りひも通路空間４７を右側から左側へ通り、吊りひも通路空間４７の中央部付近で、覆い材５２とグリル枠２１との隙間から覆い材５２の外側に導き出されて、昇降グリル３１の後側の中央部に取り付けられている。
【００２１】
また、前側の覆い材５１の一部には、表示用の透明板５６が設けられ、この透明板５６の上方に、空気調和装置の状況（運転のＯＮ−ＯＦＦ、タイマーのＯＮ−ＯＦＦ、警報ランプなど）を表示するための表示基板５７が配置されている。この表示基板５７はリモコンの受信部を具備している。そして、表示基板５７からのリード線５８は、グリル枠２１の本体に形成されたリード線用貫通孔としての長穴５９を通って、吊りひも通路空間４６からグリル枠２１の上方に導き出されている。この長穴５９の周辺（すなわち、後側の縁部）にグリル枠２１の本体の下面から下方に突出する縦リブ６１が設けられており、この縦リブ６１の前側に表示基板５７からのリード線５８が配線され、一方、縦リブ６１の後側に第１吊りひも３２が配線される。
【００２２】
さらに、グリル枠２１の前側の桟２４には、リミットスイッチ用の固定部６７が張り出している。この固定部６７にリミットスイッチ固定具６８を介してリミットスイッチ６６が取り付けられる。リミットスイッチ固定具６８は、固定部６７にビス止めなどで取り付けられる水平部６９と、この水平部６９から垂下する垂直部７１とを有しており、この垂下する垂直部７１にリミットスイッチ６６がビスなどで取り付けられている。昇降グリル３１が上昇して所定位置に収容されると、昇降グリル３１の上面がリミットスイッチ６６の検知レバー７２の先端に当接して上昇させ、リミットスイッチ６６から昇降グリル検出信号が出力する。
【００２３】
そして、リミットスイッチ６６からのリード線７３は、水平部６９に設けられた切欠き７４を通って、桟２４の上方に配線される。そして、このリード線７３は、表示基板５７からのリード線５８に合流して、桟２４に設けられたリード線固定爪７６で固定される。合流したリード線５８，７３は、前後の空気吹出口２３のルーバを駆動するモータのためのルーバ駆動用のリード線７５，７５とともに結束具７７で結束、固定されている。上記リード線固定爪７６は、この結束具７７による結束位置と長穴５９との間の位置に配置されている。結束具７７で結束されたリード線５８，７３，７５，７５は、昇降装置３６の駆動モータ用のリード線（図示しない）とともに、室内機本体１の電装箱内の基板（図示しない）に接続されている。
【００２４】
前述の様に、上記実施例においては、１個の昇降装置３６で複数本の吊りひも３２，３３，３４を巻取り・繰り出ししており、各吊りひも毎に昇降装置を設けた場合に比して、製造コストや昇降装置の設置コストを削減することができる。しかも、１個の昇降装置３６で複数本の吊りひも３２，３３，３４を巻取り・繰り出しすると、一部の吊りひも３２，３４が空気吸込口２２の縁に沿って延在することになるが、吊りひも３２，３４の水平に配線されている部分は、グリル枠２１の本体と覆い材５１，５２との間の吊りひも通路空間４６，４７を通っており、昇降グリル３１が下降しても、外側から見えることを防止することができる。また、グリル枠２１の本体の上方に設けられている多数のリード線や補強リブなどに、吊りひもが干渉することを防止することができる。その結果、吊りひも３２，３３，３４が円滑に作動し、少ない本数（すなわち、３本）の吊りひも３２，３３，３４で安定して昇降グリル３１を昇降させることができる。
【００２５】
また、リミットスイッチ固定具６８には、リミットスイッチ６６のリード線７３を通す切欠き７４が設けられており、この切欠き７４でリード線７３を位置決めして安定して配線することができる。したがって、リミットスイッチ６６のリード線７３が昇降グリル３１などと接触することを極力防止することができる。
【００２６】
以上、本発明の実施例を詳述したが、本発明は、前記実施例に限定されるものではなく、特許請求の範囲に記載された本発明の要旨の範囲内で、種々の変更を行うことが可能である。本発明の変更例を下記に例示する。
（１）吊りひもは、前側に２本、後側に１本であるが、前後を逆にして、前側に１本、後側に２本とすることも可能である。また、吊りひもの本数を変更することも可能である。たとえば、４本とすることも可能である。ただし、３本にすることがコスト上好ましい。
【００２７】
（２）昇降装置は、吊りひもを巻き上げ・繰り出しができるならば、その構造や形式は適宜変更可能である。
（３）空気吹出口２３は前側および後側の２か所に設けられているが、その個数や配置箇所などは適宜変更可能であり、たとえば、配置箇所を１か所にすることも可能である。
（４）室内機本体１を天井内の構造体に支持させるための固定手段は適宜変更可能である。
【００２８】
（５）覆い材５１，５２は、グリル枠２１の桟２４の下面との間に吊りひも通路空間４６，４７を形成することができるならば、その形状、構造や材質などは適宜変更可能である。
（６）グリル枠２１のリード線用貫通孔５９は、長穴形状であることが好ましいが、その形状は適宜変更可能である。
（７）昇降装置３６は空気吸込口２２の横側に配置されていることが好ましいが、その配置位置は適宜変更可能である。
【産業上の利用可能性】
【００２９】
グリル枠に設けられた昇降装置が吊りひもを巻取り・繰り出しすることにより、昇降グリルが上昇・下降する天井埋込型空気調和装置に適用することができる。
【図面の簡単な説明】
【００３０】
【図１】図１は本発明における天井埋込型空気調和装置の実施例の斜視図である。
【図２】図２はグリル枠、フィルターおよび昇降グリルの分解斜視図である。
【図３】図３は覆い材を外した状態でのグリル枠の概略の説明図である。
【図４】図４は覆い材を取り付けた状態で引っ繰り返したグリル枠の概略の斜視図である。
【図５】図５はグリル枠の平面図である。
【図６】図６はグリル枠の要部平面図である。
【図７】図７は表示基板およびリミットスイッチの説明図で、（ａ）は表示基板付近における図６の A-A断面図、（ｂ）は図６の B-B断面図である。
【符号の説明】
【００３１】
１  室内機本体
２１  グリル枠
２２  空気吸込口
２３  空気吹出口
２４  桟
３１  昇降グリル
３２  第１吊りひも
３３  第２吊りひも
３４  第３吊りひも
３６  昇降装置
４６  吊りひも通路空間
４７  吊りひも通路空間
５１  覆い材
５２  覆い材
５７  表示基板
５８  リード線
５９  長穴（リード線用貫通孔）
６１  縦リブ
６６  リミットスイッチ（電気部品）
７３  リード線
７６  リード線固定爪
【図１】
2005147595.tif 000003
【図２】
2005147595.tif 000004
【図３】
2005147595.tif 000005
【図４】
2005147595.tif 000006
【図５】
2005147595.tif 000007
【図６】
2005147595.tif 000008
【図７】
2005147595.tif 000009